【手続補正書】
【提出日】平成17年9月21日(2005.9.21)
【手続補正１】
【補正対象書類名】明細書
【補正対象項目名】全文
【補正方法】変更
【補正の内容】
【書類名】  明細書
【発明の名称】地すべり抑止工法
【特許請求の範囲】
【請求項１】  少なくとも一つ以上の抵抗体を滑動方向と略平行に地すべり土塊内に配設して擬似側壁を形成し、該擬似側壁によって前記地すべり土塊の側面せん断抵抗を強化し、地すべりを抑止することを特徴とする地すべり抑止工法。
【請求項２】  前記地すべり土塊が側面部と底面部とからなる凹形状の谷埋め盛土であると共に、前記抵抗体は、前記底面部に立設されて前記擬似側壁を形成することを特徴とする請求項１記載の地すべり抑止工法。
【発明の詳細な説明】
【０００１】
【発明の属する技術分野】
本発明は地すべり抑止工法に関し、より詳しくは、谷埋め盛土等の地すべりの生じ易い人工地盤に適した地すべり抑止工法に関する。
【０００２】
【従来の技術】
地すべりを抑制するための対策工としては、従来より、抑止杭工やグラウンドアンカー工のように、地すべり土塊の滑動方向に対して横断的（滑動方向に対して垂直方向）に抵抗体を多数列設した「待ち受け型対策工」が広く採用されている。
【０００３】
【発明が解決しようとする課題】
しかしながら、従来の待ち受け対策工では、前記抵抗体よりも上方の土塊部分の変形を許す構造であるため、地すべり土塊全体として大きな滑動を引き起こさなくとも、前記抵抗体よりも上方の土塊上に建造されている構造物が変形・破損する虞があるという問題点があった。
【０００４】
特に、地震等の急激な揺れが生じた場合は、前記抵抗体の上方の土塊部分は大きな変形が起こり易く、このため待ち受け対策工によって土砂の流出は防止できても、地すべり土塊上の構造物は著しい破損を被る虞があるという問題点があった。すなわち、従来の待ち受け対策工では、抵抗体上方の局所的な地表面変動は防止することができず、このため地盤上に建造されている構造物は甚大な被害をうける虞があるという問題点があった。
【０００５】
本発明はこのような問題点に鑑みなされたものであって、局所的な地表面変動をも抑制して地すべり土塊上に建造された建造物に被害が生じるのを防ぐことができる地すべり抑止工法を提供することを目的とする。
【０００６】
【課題を解決するための手段】
本発明者らは、平成７年の兵庫県南部地震において地すべり土塊における地盤変形について調査したところ、地すべり土塊の幅寸法が深さ寸法に比べて大きい谷埋め宅地盛土で地盤の変形が多く発生し、幅寸法が深さ寸法に比べて小さい谷埋め宅地盛土では地盤の変形が少ないことが分った。これは、谷埋め宅地の地すべり土塊では、底面部と側面部とですべり面を形成するが、側面部の抵抗力（摩擦力）は底面部の抵抗力（摩擦力）よりも大きいことから、深さ寸法に比べて幅寸法の小さい谷埋め宅地盛土では側面部の大きな抵抗力によって地盤の変形を抑制できたものと思われる。
【０００７】
本発明はこのような点に着目してなされたものであって、本発明に係る地すべり抑止工法は、少なくとも一つ以上の抵抗体を滑動方向と略平行に地すべり土塊内に配設して擬似側壁を形成し、該擬似側壁によって前記地すべり土塊の側面せん断抵抗を強化し、地すべりを抑止することを特徴としている。
【０００８】
また、本発明の地すべり抑止工法は、前記地すべり土塊が側面部と底面部とからなる凹形状の谷埋め盛土であると共に、前記抵抗体は、前記底面部に立設されて前記擬似側壁を形成することを特徴としている。
【０００９】
上記地すべり抑止工法によれば、抵抗体によって地すべり土塊は２つ以上の領域に分断される。そして各領域の底面部と側面部によってすべり面が形成されるので、分断された各すべり面における土塊の幅寸法は深さ寸法に比べて小さくなり、これにより側面部の抵抗力が増大し、その結果、土塊全体の単位面積当たりの平均的な抵抗力が大きくなり、地すべり土塊の滑動を効果的に抑制することができる。
【００１０】
【発明の実施の形態】
次に、本発明の実施の形態を図面に基づいて詳説する。
【００１１】
図１は谷埋め盛土の地すべりの一例を模式的に示した斜視図であって、該地すべり土塊は、軟弱な第１の土質１上に該第１の土質１よりも相対的に強度の大きな第２の土質２が堆積されている。該第２の土質２の上面が地表に露見された地すべり土塊は、全体形状が凹状となるように傾斜状の第１及び第２の側面部３ａ、３ｂを有し、両側面部３ａ、３ｂに挟まれた部位には第１の土質１が露見されて底面部４を形成している。そして、本実施の形態では両側面部３ａ、３ｂ及び底面部４で滑動面（せん断面）を形成し、矢印Ｘ方向に滑動し易い土質構造となっている。
【００１２】
図２は本発明の地すべり抑止工法の一実施の形態を模式的に示した斜視図であって、本実施の形態では、矢印Ｘで示す滑動方向と略平行となるように底面部４の長手方向略全長に亙って抵抗体５が立設されて擬似側壁を形成し、これにより底面部４は２つの領域（第１の底面部４ａ、第２の底面部４ｂ）に分断されている。
【００１３】
側面部３ａ、３ｂの単位面積当たりの滑動に対するせん断抵抗(すべり面抵抗)（以下、単に「せん断抵抗」という。）は、底面部４のせん断抵抗に比べて大きいため、滑動面全域に対し側面部の占める面積比率が大きくなればなるほど滑動に対する抵抗力が大きくなる。
【００１４】
そこで、本実施の形態では、地すべり土塊の滑動方向と略平行となるように底面部４の長手方向略全長に亙って抵抗体５を立設して底面部４を２つの領域に分断し、これにより土塊の幅寸法が深さ寸法よりも実質的に小さくなるようにして側面部に対する底面部の占める面積比率を相対的に減少させ、全体としてせん断抵抗が大きくなるようにし、地すべりを抑制している。
【００１５】
次に、図３及び図４を参照しながら、抵抗体５を設けた場合と設けなかった場合について、せん断抵抗を比較する。
【００１６】
図３は抵抗体を設けなかった場合の横断面構造を模式的に示した図であって、図中、Ａは第１の側面部３ａのすべり面延長、Ｂは第２の側面部３ｂのすべり面延長、Ｃは底面部４のすべり面延長である。
【００１７】
第１の側面部３ａのせん断抵抗をτａ、第２の側面部３ｂのせん断抵抗をτｂ、底面部のせん断抵抗をτｃとすると、破線Ｍで示す面のせん断抵抗の平均値、すなわち平均せん断抵抗τＭは数式（１）で表される。
【数１】
2002294716.tif 000001
一方、図４は抵抗体５を設けた場合の横断面構造を模式的に示した図であって、図中、Ｄは抵抗体５のすべり面延長を示している。また、Ｃ１は底面部４ａのすべり面延長、Ｃ２は底面部４ａのすべり面延長である。
【００１８】
そして、抵抗体５のせん断抵抗をτｄとすると、破線Ｎで示す面の平均せん断抵抗τＮは数式（２）で表され、破線Ｌで示す面の平均せん断抵抗τＬは数式（３）で表される。
【数２】
2002294716.tif 000002
【数３】
2002294716.tif 000003
ここで、各すべり面のせん断抵抗τａ〜τｄの間には数式（４）に示す関係が成立する。
【００１９】
τａ≒τｂ≒τｄ＞τｃ…（４）
また、各すべり面延長との間には、数式（５）〜（６）の関係が成立する。
【００２０】
Ａ≒Ｂ≒Ｄ  …（５）
Ｃ１＜Ｃ、Ｃ２＜Ｃ  …（６）
すなわち、抵抗体５を設けたことによって、平均せん断抵抗τＮ及びτＬは平均せん断抵抗τＭよりも大きくなり、したがって地震等の大きく急激な揺れが生じても、図３の抵抗体を設けなかった場合に比べ、地盤が滑動するのを抑制することが可能となる。
【００２１】
尚、本発明は上記実施の形態に限定されるものではない。上記実施の形態では抵抗体５は１個しか設けていないが、２個以上の抵抗体５を滑動方向に略平行に列設するのも好ましい。
【００２２】
【発明の効果】
以上詳述したように本発明に係る地すべり抑止工法は、少なくとも一つ以上の抵抗体を滑動方向と略平行に地すべり土塊内に配設して擬似側壁を形成し、該擬似側壁によって前記地すべり土塊の側面せん断抵抗を強化し、地すべりを抑止するので、地すべり土塊全体の地盤変形を防止することができ、地震時でも地すべり土塊上の構造物に被害が生じるのを抑制することができる。
【００２３】
また、本発明は、前記地すべり土塊が側面部と底面部とからなる凹形状の谷埋め盛土であると共に、前記抵抗体は、前記底面部に立設されて前記擬似側壁を形成するので、上述と同様、地すべり土塊全体の地盤変形を容易に防止することができ、地震時でも地すべり土塊上の構造物に被害が生じるのを抑制することができる。
【００２４】
また、従来の抑止杭工やグラウンドアンカー工等は耐用年数が数十年であるのに対し、本発明は地すべり土塊が本来有している地盤強度を地すべり防止に活用する工法であるため、事実上恒久的な対策工法となる。しかも抵抗体は、大きな強度を有する必要がなく、地すべり対策工事費用も大幅に削減することが可能となる。
【図面の簡単な説明】
【図１】
地すべり土塊の一例を模式的に示した斜視図である。
【図２】
本発明に係る地すべり抑止工法の一実施の形態を模式的に示す斜視図である。
【図３】
地すべり土塊中に抵抗体を立設しなかった場合の面構造を模式的に示す図である。
【図４】
地すべり土塊中に抵抗体を立設した場合の面構造を模式的に示す図である。
【符号の説明】
３ａ、３ｂ  側面部
４ａ  第１の底面部
４ｂ  第２の底面部
５  抵抗体
【手続補正２】
【補正対象書類名】図面
【補正対象項目名】全図
【補正方法】変更
【補正の内容】
【図１】
2002294716.tif 000004
【図２】
2002294716.tif 000005
【図３】
2002294716.tif 000006
【図４】
2002294716.tif 000007